(57)【要約】会話形印刷媒体装置が開示される。一実施の形態における装置は、表面を有するプラットフォーム（７００）と、電子式位置探知システムと、規定位置を含む印刷媒体（１５６）とを備えている。ユーザは、規定位置内へ記入することができる。
2005517214.tif 000002
【特許請求の範囲】
【請求項１】
（ａ）会話形印刷媒体装置のプラットフォームの表面上にあるシート上の規定位置への記入催促を受けるステップを含み、前記会話形印刷媒体装置は電子式位置探知システムを更に備え、
（ｂ）前記シートが前記表面上にある間に筆記具を使用して前記シート上の規定位置内へ記入するステップを更に含み、前記筆記具及び前記電子式位置探知システムは記入中に作動的に切り離される、
ことを特徴とする方法。
【請求項２】
前記規定位置は、印のアレイ、一連の空白、及び一連のボックスからなるグループから選択された印刷素子からなることを特徴とする請求項１に記載の方法。
【請求項３】
前記シートは印刷媒体内にあり、前記規定位置とは異なる位置にある支援印刷素子を含み、前記方法は、
（ｃ）前記支援印刷素子を選択するステップ、
を更に含むことを特徴とする請求項１に記載の方法。
【請求項４】
前記電子式位置探知システムは、複数の送信アンテナを含むことを特徴とする請求項１に記載の方法。
【請求項５】
前記電子式位置探知システムは、複数の感圧スイッチを含むことを特徴とする請求項１に記載の方法。
【請求項６】
前記シートは印刷媒体内にあり、数学、幾何、または綴りに関して前記ユーザを教える印刷素子を含むことを特徴とする請求項１に記載の方法。
【請求項７】
前記会話形印刷媒体装置は、前記プラットフォームに結合されているスタイラスを含むことを特徴とする請求項１に記載の方法。
【請求項８】
前記シートは印刷媒体内にあり且つ消去可能なシートであり、前記筆記具は消去可能なマーカーからなることを特徴とする請求項１に記載の方法。
【請求項９】
前記シートは、透明シートであることを特徴とする請求項１に記載の方法。
【請求項１０】
前記シートは印刷媒体内にあり、前記印刷媒体はリングバインディングを有する本であることを特徴とする請求項１に記載の方法。
【請求項１１】
前記ステップ（ｂ）の後に、
（ｃ）前記記入を評価する上で前記ユーザを支援する出力を受けるステップ、
を更に含むことを特徴とする請求項１に記載の方法。
【請求項１２】
前記ステップ（ａ）及び（ｂ）を少なくとも１回繰り返すステップ、
を更に含むことを特徴とする請求項１に記載の方法。
【請求項１３】
前記ステップ（ａ）及び（ｂ）は、あるゲーム中に遂行されることを特徴とする請求項１に記載の方法。
【請求項１４】
前記ステップ（ａ）及び（ｂ）は、数学及び綴りの少なくとも１つを教える学習プロセス中に遂行されることを特徴とする請求項１に記載の方法。
【請求項１５】
前記シートは透明シートであり、前記方法は、
（ｃ）第２のシート上のイメージを用いて前記透明シート上の記入と比較するために、前記透明シートを前記第２のシート上のイメージ上に重ね合わせるステップ、
を更に含むことを特徴とする請求項１に記載の方法。
【請求項１６】
（ａ）会話形印刷媒体装置のプラットフォームの表面上にある消去可能な印刷媒体上の規定位置への記入催促を受けるステップを含み、前記会話形印刷媒体装置は電子式位置探知システム及び前記プラットフォームに結合されているスタイラスを更に備え、
（ｂ）筆記具を使用して前記規定位置内の前記消去可能な印刷媒体上に記入するステップを更に含み、前記筆記具及び前記電子式位置探知システムは記入中に作動的に切り離され、
（ｃ）前記記入を評価する上で前記ユーザを支援する第１の出力を受けるステップと、
（ｄ）前記規定位置内の記入を消去するステップと、
（ｅ）前記スタイラスを用いて前記印刷媒体上の印刷素子を選択するステップと、
（ｆ）前記印刷素子に対応する第２の出力を受けるステップと、
を更に含むことを特徴とする方法。
【請求項１７】
前記電子式位置探知システムは、複数の送信アンテナを含むことを特徴とする請求項１６に記載の方法。
【請求項１８】
前記筆記具は、マーカーであることを特徴とする請求項１６に記載の方法。
【請求項１９】
前記印刷素子は、数学に関して教えることを特徴とする請求項１６に記載の方法。
【請求項２０】
前記規定位置は、印のアレイ、一連の空白、及び一連のボックスからなるグループから選択された印刷素子からなることを特徴とする請求項１６に記載の方法。
【請求項２１】
会話形印刷媒体装置であって、
（ａ）表面を有するプラットフォームと、
（ｂ）電子式位置探知システムと、
（ｃ）前記表面上で使用される規定位置を含むシートと、
（ｄ）（i）前記シートが前記表面上にある時に前記規定位置内へ記入するようにユーザを促すためのコード、及び（ii）ユーザが筆記具を使用して前記規定位置内の前記シート上へ記入することを許容するためのコードを含むメモリデバイスとを備え、前記筆記具及び前記電子式位置探知システムは記入中に作動的に切り離され、
前記装置は、
（ｅ）前記電子式位置探知システムに作動的に結合されている出力デバイス、
を更に備えていることを特徴とする会話形印刷媒体装置。
【請求項２２】
前記規定位置は、印のアレイ、一連の空白、及び一連のボックスからなるグループから選択された印刷素子からなることを特徴とする請求項２１に記載の会話形印刷媒体装置。
【請求項２３】
前記シートは印刷媒体内にあり、前記規定位置とは異なる位置にある支援印刷素子を含むことを特徴とする請求項２１に記載の会話形印刷媒体装置。
【請求項２４】
前記電子式位置探知システムは、複数の送信アンテナを含むことを特徴とする請求項２１に記載の会話形印刷媒体装置。
【請求項２５】
前記電子式位置探知システムは、複数の感圧スイッチを含むことを特徴とする請求項２１に記載の会話形印刷媒体装置。
【請求項２６】
前記シートは印刷媒体内にあり、前記ユーザに数学、幾何、または綴りに関して教える印刷素子を含むことを特徴とする請求項２１に記載の会話形印刷媒体装置。
【請求項２７】
前記プラットフォームに結合されているスタイラスを含むことを特徴とする請求項２１に記載の会話形印刷媒体装置。
【請求項２８】
前記シートは印刷媒体内にあり且つ消去可能なシートであり、前記筆記具は消去可能なマーカーからなることを特徴とする請求項２１に記載の会話形印刷媒体装置。
【請求項２９】
前記シートは、透明であることを特徴とする請求項２１に記載の会話形印刷媒体装置。
【請求項３０】
前記シートは印刷媒体内にあり、前記印刷媒体はリングまたはスパイラルバインディングを有する本であることを特徴とする請求項２１に記載の会話形印刷媒体装置。
【請求項３１】
前記プラットフォームは凹みを有し、前記メモリデバイスは前記凹み内に取外し可能なように挿入可能であって、前記凹みと共働するように構成されていることを特徴とする請求項２１に記載の会話形印刷媒体装置。
【請求項３２】
前記メモリデバイスは、前記プラットフォーム内にあることを特徴とする請求項２１に記載の会話形印刷媒体装置。
【請求項３３】
筆記具を更に備え、前記筆記具は消去可能なインクを含むことを特徴とする請求項２１に記載の会話形印刷媒体装置。
【請求項３４】
前記メモリデバイスは、
（iii）前記規定位置内への記入を評価する上で前記ユーザを支援する出力を発生するためのコード、
を更に含むことを特徴とする請求項２１に記載の会話形印刷媒体装置。
【請求項３５】
前記出力デバイスは、スピーカーを含むことを特徴とする請求項２１に記載の会話形印刷媒体装置。
【請求項３６】
会話形印刷媒体装置であって、
（ａ）表面を有するプラットフォームと、
（ｂ）電子式位置探知システムと、
（ｃ）前記表面上で使用される規定位置を含む消去可能な印刷媒体と、
（ｄ）前記電子式位置探知システムに結合され、出力のためのコードを含むメモリデバイスと、
（ｅ）前記電子式位置探知システムに作動的に結合されている出力デバイスと、
（ｆ）前記消去可能な印刷媒体上へ記入するための消去可能な材料からなる筆記具と、を備えていることを特徴とする会話形印刷媒体装置。
【請求項３７】
前記消去可能な印刷媒体は、ポリビニルアセテート材料からなることを特徴とする請求項３６に記載の会話形印刷媒体装置。
【請求項３８】
前記プラットフォームに作動的に結合されているスタイラスを更に含むことを特徴とする請求項３６に記載の会話形印刷媒体装置。
【請求項３９】
前記出力のためのコードは、（i）前記印刷媒体が前記表面上にある時に前記媒体の規定位置内へ記入するようにユーザを促すためのコード、及び（ii）前記ユーザが筆記具を使用して前記規定位置内の前記印刷媒体上へ記入することを許容するためのコードを含み、記入中に前記筆記具及び前記電子式位置探知システムが作動的に切り離されることを特徴とする請求項３６に記載の会話形印刷媒体装置。
【請求項４０】
前記筆記具は消去可能なマーカーであり、前記メモリデバイスはデータカートリッジであることを特徴とする請求項３６に記載の会話形印刷媒体装置。
【請求項４１】
キットであって、
（ａ）規定位置を有するシートと、
（ｂ）（i）前記シートが電子式位置探知システムを有する会話形印刷媒体装置のプラットフォームの表面上にある時に前記規定位置内へ記入するようにユーザを促すためのコード、及び（ii）前記ユーザが筆記具を使用して前記規定位置内の前記印刷媒体上へ記入することを許容するためのコードを含むメモリデバイスと、
を備え、
記入中に前記筆記具及び前記電子式位置探知システムが作動的に切り離されることを特徴とするキット。
【請求項４２】
前記印刷媒体は消去可能な印刷媒体であり、前記キットは、
（ｃ）消去可能な筆記具、
を更に備えていることを特徴とする請求項４１に記載のキット。
【請求項４３】
前記メモリデバイスは、
前記規定位置内への記入を評価する上で前記ユーザを支援する出力を発生するためのコード、
を更に含むことを特徴とする請求項４１に記載のキット。
【請求項４４】
前記シートは、前記規定位置とは異なる位置にある支援印刷素子を更に含み、
前記メモリデバイスは、（iii）前記ユーザを支援する出力のためのコードを含む、
ことを特徴とする請求項４１に記載のキット。
【請求項４５】
前記シートは、本のページであることを特徴とする請求項４１に記載のキット。
【請求項４６】
前記シートは、スパイラルの背を有する本のページであることを特徴とする請求項４１に記載のキット。
【請求項４７】
前記シートは、アセテートからなることを特徴とする請求項４１に記載のキット。
【請求項４８】
前記メモリデバイスは、（iv）数学、綴り、または地理の少なくとも１つを教えるオーディオのためのコードを更に含むことを特徴とする請求項４１に記載のキット。
【請求項４９】
前記メモリデバイスは、（iv）数学、綴り、または地理の少なくとも１つを教えるビジュアルのためのコードを更に含むことを特徴とする請求項４１に記載のキット。
【請求項５０】
会話形印刷媒体装置であって、
（ａ）プラットフォームと、
（ｂ）電子式位置探知システムと、
（ｃ）信号ドライバ及び信号プロセッサを有する前記電子式位置探知システムによって探知することができるスタイラスと、
（ｄ）前記信号プロセッサに結合され、前記スタイラスを使用して探知された位置に応答するオーディオ発生回路と、
（ｅ）前記プラットフォーム上にあって、ユーザがマークすることができる表面を有する印刷媒体と、
（ｆ）前記電子的位置探知システムに接続可能であって、前記印刷媒体の表面上へ記入するようにユーザを促すためのコードを含むメモリデバイスと、
を備えていることを特徴とする会話形印刷媒体装置。
【請求項５１】
前記印刷媒体は、前記ユーザがマークすることができる規定位置を有していることを特徴とする請求項５０に記載の会話形印刷媒体装置。
【請求項５２】
前記メモリデバイスは、もし前記ユーザが支援コメントを発生するためのアイコンを選択すれば、支援コメントを与えるためのコードを含むことを特徴とする請求項５０に記載の会話形印刷媒体装置。
【請求項５３】
前記メモリデバイスは、前記スタイラスでユーザの記入を指示するキー位置にタッチするようにユーザを促し、その後に正しい記載を褒めるためのコードを含むことを特徴とする請求項５０に記載の会話形印刷媒体装置。
【請求項５４】
前記メモリデバイスは、前記スタイラスでユーザの記入を指示するキー位置にタッチするようにユーザを促し、その後に誤った記載を正すための支援を提供するためのコードを含むことを特徴とする請求項５０に記載の会話形印刷媒体装置。
【発明の詳細な説明】
【背景技術】
【０００１】
「書く」ということは、生徒の教科に関する記憶及び学習を支援する。数学のような教科を学習する場合、その教科に関して学習するためには生徒は書くことが必要である。例えば、２つの２桁数を乗算するために計算機を使用することができる。しかしながら、２つの数を乗算するために計算機を使用すると、生徒は計算機がその答えに到達するまでのプロセスを学習しない。計算機によって遂行される計算プロセスを学習するためには、ユーザはその計算プロセスの各ステップを書き留めなければならない。ある意味では、書くということはユーザが彼／彼女自身と行う対話であり、学習しつつある概念の強化を支援する。
【０００２】
「書く」ことを学習プロセスに組入れるために、ユーザの記入を解釈することができる“インテリジェント”書込みシステム（例えば、光学式文字認識を使用するデバイスのような）を電子式学習装置に設けることができる。インテリジェント書込みシステムは、ユーザが何を書いたのかを知り、また、理論的には、ユーザへあるフィードバックを与えることができる。
【０００３】
しかしながら、インテリジェント書込みシステムには幾つかの問題が存在している。効果的なインテリジェント書込みシステムを作ることは可能であるとしても、それは高価になろう。また人が異なれば筆跡も異なるから、多分インテリジェント書込みシステムは完全に正確には動作しないであろう。更に、現存するインテリジェント書込みシステムは、数学及び幾何学のような特定の教科に関してユーザの学習を支援しない。
【発明の開示】
【発明が解決しようとする課題】
【０００４】
従って、書込み（以下、記入という）を使用してユーザの学習を支援するような電子装置に対する要望が存在している。
【課題を解決するための手段】
【０００５】
本発明の実施の形態は、上述した問題、及び他の諸問題に個々に、及びまとめて対処する。
【０００６】
本発明の実施の形態は、会話形印刷媒体装置上への記入及び方法に関する。
【０００７】
本発明の一実施の形態は、（ａ）会話形印刷媒体装置のプラットフォームの表面上にあるシート上の規定位置への記入催促（プロンプト）を受けるステップを含み、前記会話形印刷媒体装置は電子式位置探知システムを更に備え、（ｂ）前記シートが表面上にある間に筆記具を使用して前記シート上の規定位置内へ記入するステップを含み、前記筆記具及び前記電子式位置探知システムは記入中に切り離されるようになっている方法に関する。
【０００８】
本発明の別の実施の形態は、（ａ）会話形印刷媒体装置のプラットフォームの表面上にある消去可能な印刷媒体上の規定位置への記入催促を受けるステップを含み、前記会話形印刷媒体装置は電子式位置探知システム及び前記プラットフォームに結合されているスタイラスを更に備え、（ｂ）前記筆記具を使用して前記規定位置内の前記消去可能な印刷媒体上へ記入するステップを含み、前記筆記具及び前記電子式位置探知システムは記入中に切り離されるようになっており、更に、（ｃ）前記記入を評価する上でユーザを支援する第１の出力を受けるステップと、（ｄ）前記規定位置内の記入を消去するステップと、（ｅ）前記スタイラスを用いて前記印刷媒体上の印刷素子を選択するステップと、（ｆ）前記印刷素子に対応する第２の出力を受けるステップとを含む方法に関する。
【０００９】
本発明の別の実施の形態は、（ａ）表面を有するプラットフォームと、（ｂ）電子式位置探知システムと、（ｃ）規定位置を含むシートと、（ｄ）（i）前記印刷媒体が前記表面上にある時に前記印刷媒体上の規定位置内へ記入するようにユーザを促すためのコード、及び（ii）ユーザが筆記具を使用して前記規定位置内の前記印刷媒体上へ記入することを許容するためのコードを含むメモリデバイスとを備え、前記筆記具及び前記電子式位置探知システムは記入中に作動的に切り離されるようになっており、更に、（ｅ）前記電子式位置探知システムに作動的に結合されている出力デバイスを備えている会話形印刷媒体装置に関する。
【００１０】
本発明の別の実施の形態は、（ａ）表面を有するプラットフォームと、（ｂ）電子式位置探知システムと、（ｃ）規定位置を含む消去可能な印刷媒体と、（ｄ）出力のためのコードを含むメモリデバイスと、（ｅ）前記電子式位置探知システムに作動的に結合されている出力デバイスと、（ｆ）消去可能な材料からなる筆記具とを備えている会話形印刷媒体装置に関する。
【００１１】
本発明の別の実施の形態は、（ａ）規定位置を有するシートと、（ｂ）（i）電子式位置探知システムを有する会話形印刷媒体装置の会話形プラットフォームの表面上にある前記シートの規定位置内へ記入するようにユーザを促すためのコード、及び（ii）ユーザが筆記具を使用して前記規定位置内の前記印刷媒体上へ記入することを許容するためのコードを含むメモリデバイスとを備え、記入中の前記筆記具の位置が前記電子式位置探知システムによって決定されないようになっているキットに関する。
【００１２】
本発明の別の実施の形態は、（ａ）プラットフォームと、（ｂ）電子式位置探知システムと、（ｃ）信号ドライバ及び信号プロセッサを有する前記電子式位置探知システムによって探知することができるスタイラスと、（ｄ）前記信号プロセッサに結合され、前記スタイラスを使用して探知された位置に応答するオーディオ発生回路と（ｅ）前記プラットフォーム上にあって、ユーザがマークすることができる表面を有する印刷媒体と、（ｆ）前記電子的位置探知システムに接続可能であって、前記印刷媒体の表面上へ記入するようにユーザを促すためのコードを含むメモリデバイスとを備えている会話形印刷媒体装置に関する。
【００１３】
以下に、添付図面を参照してこれらの、及び他の実施の形態を詳細に説明する。
【発明を実施するための最良の形態】
【００１４】
会話形印刷媒体装置は、表面を有するプラットフォームと、電子式位置探知システムとを備えている。プラットフォーム表面上にはシートが存在している。このシートは、筆記具を使用してユーザが記入するようになっている少なくとも１つの規定位置を有する。シートは、印刷を有する印刷媒体のページであることも、または印刷を有していない透明シートであることもできる。印刷媒体の例は、１またはそれ以上のシートを含むことができる。各シートは、１またはそれ以上の規定位置、及び１またはそれ以上の印刷素子を有することができる。
【００１５】
オーディオ催促のような出力を使用して、シート上の規定位置内へ記入するようにユーザを促すことができる。会話形印刷媒体装置から与えられる出力は、ビジュアル及び／またはオーディオ出力を含むことができる。出力の例は、文字、ストーリー、数、語、句、ジョーク、音楽、質問、答え、催促、音響効果、事実等を含むことができる。オーディオ出力は、印刷媒体のシート上にあることができる文字、絵、及び数字のようなビジュアル情報を補足し、それらを補強するので好ましい。
【００１６】
本明細書において使用する“規定位置”とは、会話形印刷媒体装置からの催促に応答してユーザが記入を指令されるシート上の特定的に指示された領域のことである。規定位置は、それに関連している１またはそれ以上の印刷素子を有することができる。例えば、規定位置の１またはそれ以上の印刷素子は、シート上に印刷された１またはそれ以上のボックス、印、絵、空白（ブランク）、またはスペースを含むことができる。ユーザは、ボックス、空白、またはスペース内に数字、文字、語、線等を書くことができる。別の例では、シート上の印刷素子はドットからなることができる。ユーザは、ドットの特定のセットまたは対の間に線を引くように促される。更に別の例では、シート上の規定位置は、別のシート上の印刷素子と関連付けることができる。例えば、規定位置を有するシートは、印刷素子を有する第２のシートの上に重ねられる透明シート（印刷を有する、または有していない）であることができる。印刷素子は、透明シートを通して見ることができる。ユーザは透明シートの下の印刷素子に対応して透明シート上の規定位置内へ記入することができる。
【００１７】
規定位置を有するシートは、１またはそれ以上のシートを含む印刷媒体内にあることが好ましい。印刷媒体、及び印刷媒体内の印刷素子に関連して発生される何等かの出力は、ユーザを所定の教科について特定的に教育するように設計することができる。例えば、印刷媒体及び出力は、ユーザに、色、文字、形状、数、語の発音、フォニックス、読み方、時事、歌、一般数学、代数、減算、乗算、除算、分数、小数、幾何、科学、地理、歴史、綴り、文法、楽器の名称と音色、国民、場所、自然、音楽、スポーツ、文字、数、数え方、社会科、創造的発想、英語、スペイン語及び中国語のような言語等を教えることができる。会話形印刷媒体装置が教える技能（スキル）は、認識技能（例えば、数字及び文字認識）及び論理技能を含むことができる。
【００１８】
会話形印刷媒体装置は、使用された時、プラットフォーム上にあるシート上の規定位置内へ記入するようにユーザを促す。もしユーザが催促内の命令に従えば、それはユーザがその規定位置内へ記入することであると考えられる。例えば、分数をどのように比較するかを学習するためのプロセスを開始するために、あるページ上で“分数の働き”とラベル付けされている印刷素子を選択すると、会話形印刷媒体装置はユーザに、そのページのトップに“分数Ａ”として2／5を、また“分数Ｂ”として3／4を記入するように告げることができる。更に、2／5が3／4より大きいのか、小さいのか、または等しいのかを決定し、複数の計算を終了させ、そして答えを出したユーザに“より小さい”、“等しい”、または“より大きい”に対応する印刷素子にタッチするように命令することができる。記入中、電子式位置探知システムがユーザが何を記入しているのかを知ることがないように、また筆記具が何処に位置しているのかを決定しないように、たとえ電子式位置探知システムが活動状態にあっても筆記具及び電子式位置探知システムは“作動的に切り離される”。
【００１９】
電子式位置探知システムはユーザが何を記入したのかを知らないが、ユーザはユーザが何を記入したのかを知っている。ユーザは、記入したものが正しいか否かを告げることができる。ユーザが何を記入したかを会話形印刷媒体装置が“正確に”知る（例えば、光学文字認識システムの場合のように）ことを必要とせずに、何を記入したのかというユーザの知識を使用してユーザ自信の勉強を確認することができる。この意味で、筆記具及び電子式位置探知システムは作動的に切り離されるのである。
【００２０】
会話形印刷媒体装置は、ユーザが記入したものをユーザが評価するのを支援するために、及び／または、ユーザを学習プロセスの次のステップに案内するために使用できる出力を発生することができる。これらの出力は、学習プロセスの各ステップにおいてユーザが記入したものを解釈し、査定し、及び／または評価する上でユーザを支援することができる。これらの出力は、ユーザによる特定の選択に応答して供給することができる。例えばユーザは、あるシート上の数学問題に関してユーザが記入を行い、それを解いたことを会話形印刷媒体装置に指示するために、そのシート上の“ 終わった！(Done！)”印刷素子のような印刷素子を選択することができる。それに応答して会話形印刷媒体装置は、その問題に対する答えを明示することができる。ユーザは、記入した答えと、会話形印刷媒体装置が与えた答えとを比較することができる。このようにして、ユーザは、ユーザが記入したものを解釈し、査定し、または解釈するために出力を使用することができる。
【００２１】
本発明の実施の形態は、多くの長所を有している。第１に、本会話形印刷媒体装置はユーザが何を記入しつつあるのかを電子的に解釈しないので、本発明の実施の形態内に複雑なエレクトロニクスは必要ない。第２に、ユーザの記入の正確さを評価するためのメカニズムとしてユーザを使用すれば、学習のプロセスも強化される。第３に、ユーザは、学習プロセスを高めるために会話形の、魅力的な出力をも使用しながら記入を使用することができる。書くこと、読むこと、及び聞くことの全てを使用して、数学のような複雑な教科を学習することができる。
【００２２】
Ｉ．会話形印刷媒体装置
図１に、会話形印刷媒体装置１００を示す。本会話形印刷媒体装置１００は、筆記具１５０、プラットフォーム７００、ワイヤー６を介してプラットフォーム７００に機械的及び電子的に結合されているスタイラス３、及びデータカートリッジの形状のメモリデバイス３９を含む。印刷媒体１５６は、プラットフォーム７００上にある。メモリデバイス３９は、プラットフォーム７００内の凹み（図示せず）の中に接続することができる。
【００２３】
プラットフォーム７００内に接続されたメモリデバイス３９は、プラットフォーム７００内の電子式位置探知システムと通信する。メモリデバイス３９は、印刷媒体１５６内の種々の印刷素子に対応する種々のオーディオ出力のためのコードを含むことができる。これらのオーディオ出力は、印刷素子の解釈、印刷媒体上の印刷素子に関連する音響効果等を含むことができる。メモリデバイス３９は、（i）あるシート上の規定位置内へ記入するようにユーザを促すためのコード、及び（ii）ユーザが筆記具を使用して規定位置内の印刷媒体上へ記入することを許容するためのコードを含むことができ、筆記具及び電子式位置探知システムは記入中に作動的に切り離されるようになっている。メモリデバイスは、（iii）規定位置内への記入を評価する上でユーザを支援する出力を発生するためのコードを有することもできる。
【００２４】
この例では、メモリデバイス３９はプラットフォーム７００に外付けするデータカートリッジの形状である。他の実施の形態においては、メモリデバイスはプラットフォームに内蔵させることもできる。例えば、メモリデバイスは、内部または外部ＲＯＭ（読出専用メモリ）ユニット、ＥＥＰＲＯＭ（電子的に消去可能なプログラム可能な読出専用メモリ）ユニット、ＰＲＯＭ（プログラム可能な読出専用メモリ）ユニット等の何等かの適当な組合わせからなることができる。メモリデバイスは、他の形状（例えば、メモリスティック、ＣＤ−ＲＯＭ等）であることができる。
【００２５】
筆記具１５０は、消去可能なインクを用いる消去可能なマーカーであることが好ましい。印刷媒体１５６上の消去可能なインクは、例えばブラシまたは布を用いて除去することができる。代替として、筆記具１５０は、鉛筆、ペン、またはクレヨンであることができる。図示の実施の形態では、筆記具１５０は、消去用素子（例えば、スポンジまたはブラシ）を有するキャップ付きの消去可能なマーカーからなる。筆記具１５０は、プラットフォーム７００に接続されているホルダー（図示せず）内に保持することができる。
【００２６】
印刷媒体１５６は、消去可能な印刷媒体であることが好ましい。ユーザは、印刷媒体１５６のシート上へ記入することができ、また、その後にシートを再使用できるように、印刷媒体１５６のシート上になされた何等かのマーキングを消去することができる。消去可能な印刷媒体１５６は、各々が高分子材料（アセテート材料またはマイラーTM）でシールされた１またはそれ以上の紙シートからなることも、または紙を用いないプラスチックシートからなることもできる。別の実施の形態では、普通の紙シートを、消去可能な鉛筆と共に使用することができる。
【００２７】
幾つかの実施の形態においては、印刷媒体１５６は、図形その他が印刷されているシート上に重ねることができる透明シート（例えば、アセテートまたはマイラーTM製）からなることができる。例えば、アセテートまたはマイラーTMシート、または他の透明材料の１つの縁（例えば、上縁）を本の裏表紙に綴じ、印刷素子を有する別のページ上に重ねることができる。ユーザは、透明シートを通して印刷素子を見ることができる。代替として、綴じられていない透明シートを、ユーザが記入することが予測されるイメージを有する何れかのページの前のバインディング内に挿入することができる。
【００２８】
図１には、本の形状の消去可能な印刷媒体１５６が示されている。しかしながら、本発明の実施の形態においては、如何なる適当な印刷媒体をも使用することができる。例えば本発明の実施の形態における印刷媒体は、プラスチック、紙、ボール紙等からなることができ、また着色してあることも、無着色であることもできる。印刷媒体は、一枚のシート（例えば、練習問題紙、または写真のような）、または本であることができる。本は、適当なページ数を有することができ、またスパイラルまたはリングバインダーのようなバインダーを含むことができる。各シート（例えば、本に含まれる）は、何等かの適当なサイズを有することもできる。例えば、各シートは５×７、8.5×11、８×14、またはA４のような標準サイズを有することができる。
【００２９】
消去可能な印刷媒体及び消去可能な筆記具を使用すると有利である。例えば、命令及び記入用規定位置を有する印刷媒体は、もし消去可能な材料及び媒体が使用されていれば、多数回にわたって再使用することができる。後述する例から明白になるように、ある印刷媒体内の同一のシートを使用して、ユーザに異なる問題を出題することができる。このようにして、印刷媒体内の印刷素子が教える同一の問題解法を使用して異なる問題を解くことができる。
【００３０】
印刷媒体の１またはそれ以上のシート上の印刷素子は、如何なる適当な数または型であることもできる。印刷素子の例には、図面及びその一部、語、句、語の一部、表音文字、形状、絵（例えば、写真）及びその一部、表意文字、記号、地図、文字、数字、図面、空白、ボックス、線、印のアレイ（例えば、文字、数字、または両方のアレイ）等が含まれる。規定位置にあり且つユーザが記入することを想定している場所を示すように設計されている空白、ボックス、及び線のような印刷素子を、“印刷素子上の記入箇所”と称することができる。
【００３１】
他の型の印刷素子が存在する。印刷素子は、それらを選択することによってそれらに関連した愉快な及び／または教育的なオーディオ出力を発生させることができる絵、文字等の形状であることができる。幾つかの実施の形態では、印刷媒体のページ上に“支援用印刷素子”を存在させることができる。“支援用印刷素子”は、ユーザがそれを選択する（例えば、スタイラスを使用して）と、ユーザに支援を与えるための印刷素子である。支援用印刷素子は、ユーザが記入する規定位置の直近に配置することができる。規定位置に近接させてあるので、ユーザが規定位置への記入に助けを必要とする場合、ユーザは、ユーザが支援用印刷素子を選択できることを理解し易い。支援用印刷素子を選択すると、ユーザは、ユーザが記入することが想定されるものに関連するヒント、激励、または答えからなるオーディオ出力を受ける。また、印刷媒体上に“ゲーム印刷素子”を存在させることもできる。ユーザがゲーム印刷素子を選択すると、会話形印刷媒体装置はゲームをプレイさせるようになる。これらの印刷素子の詳細に関しては後述する。
【００３２】
幾つかの実施の形態においては、印刷媒体は本であり、その本の左ページは命令資料を、また右ページはユーザが記入することができる規定位置を有することができる。例えば、図１に示す印刷媒体１５６は、開かれた２ページ、即ち左ページ１４８及び右ページ１５６を有している。左ページ１４８は、グラフについてユーザに教える複数の印刷素子を有している。ユーザはスタイラス３を使用して左ページ１４８上の印刷素子の何れかを選択し、それらの印刷素子に関連するオーディオ出力を発生させることができる。スタイラス３を用い、例えば“線グラフ(line graph)”とラベル付けされている印刷素子１０１を選択すると、“線グラフは、あるものが時間が経つとどのように変化するかを示すために点と点を結んでいます”のようなオーディオ出力を、プラットフォーム７００内のスピーカーから発生させることができる。右ページ１５６は、ユーザが筆記具１５０を使用して記入することができる規定位置１５２を有している。規定位置１５２に、印刷されたボックスの形状の印刷素子がある。この特定の例では、句“ さあ、やろう！(Go for it！)”とラベル付けされている印刷素子１５９を選択すると、プラットフォーム７００内のスピーカーからのオーディオ出力は、ユーザが聞いた“ガルプ(gulps)”の数をボックス内へ記入するようにユーザを促すことができる。ユーザが、聞いたガルプの数を筆記具１５０を用いてボックス内へ記入すると、複数の棒グラフ(bar graph)が作られる。規定位置１５２のボックスを埋めた後に、ユーザはスタイラス３を用いて例えば“終わった！”のような印刷素子１６１を選択する。そのようにすると、プラットフォーム７００内のスピーカーからのオーディオ出力は、規定位置１５２のボックス内にどれ程多くの“ガルプ”を記入すべきかをユーザに告げる。ユーザはその答えを聞き、それと記入したものとを比較する。このようにオーディオ出力は、記入したものを解釈する上でユーザを支援する。
【００３３】
上述したように、印刷媒体１５６、及びメモリデバイス３９内にコードとして格納されている出力は、１またはそれ以上の教科に関して、１またはそれ以上の習熟レベルでユーザを教えることができる。従って、本発明の幾つかの実施の形態は、上述した会話形プラットフォームと共に使用することができる印刷媒体及びメモリデバイスを含むキットに関する。例えば、“キット”はある印刷媒体を備えることができ、またその印刷媒体に対応するオーディオ出力のためのコードを有する対応メモリデバイスを含むこともできる。印刷媒体は、ユーザが記入することができる規定位置を有するページを有することができる。幾つかのキットの実施の形態においては、筆記具（上述した器具のような）をキット内に含ませることができる。例えば、キットは、（１）ユーザが記入することができ、また消去可能な規定位置を有する少なくとも１つのページを有する印刷媒体、（２）規定位置内へ記入するようにユーザを促すためのコードと、規定位置への記入を評価する上でユーザを支援する出力を発生させるためのコードとを含むメモリデバイス、及び（３）消去可能なマーカーを含むことができる。キットは、特定の、または複数の教科（例えば、数学）を特定の習熟レベル（例えば、４学年）でユーザに教えるように順応させることができる。
【００３４】
出力デバイス（図示せず）はプラットフォーム７００内にあることができ、また電子式位置探知システムに作動的に結合させることもできる。出力デバイスは、スピーカーまたはイヤホンジャックのようなオーディオ出力デバイスであることができる。代替として、出力デバイスは、ディスプレイ画面のようなビジュアル出力デバイスであることができる。
【００３５】
プラットフォーム７００は、印刷媒体１５６がその上に配置される表面を有することができる。プラットフォーム７００は、電子式位置探知システムの一部分を収容することができる。システムは、プラットフォームの表面の下に位置するプロセッサ及び電気素子のアレイ（図示せず）を含むことができる。電気素子は、本明細書が参照している米国特許第5,877,458号または第5,686,705号、及び米国特許出願第09/574,599号及び第60/200,725号に開示されているようなアンテナであることができる。アンテナは信号を送信することができ、これらの信号はスタイラス３によって受信される。スタイラス３は、受信アンテナ（これはシステムの一部であることができる）を有することができる。スタイラス３が表面上にある時に、スタイラス３はスタイラス３の下に位置する電気素子に関連する特定の信号を受信する。それによって、表面に対するスタイラス３の位置を決定することができる。スタイラス３は、プラットフォーム７００上にある印刷媒体上の種々の印刷素子と会話するために使用することができる。電気素子は、スタイラス３によって受信される信号を定期的に送信する送信アンテナであることも、またはスタイラス３からの信号を受信する受信アンテナであることもできる。
【００３６】
送信アンテナである電気素子を詳細に説明する。しかしながら、他の実施の形態においては感圧スイッチを使用することができる。感圧スイッチを有する装置は、2001年６月20日付米国特許出願第09/886,401号に開示されているので参照されたい。
【００３７】
ユーザが特定の電気素子上に位置する印刷素子を選択した時に特定の出力を受けるように、電気素子のアレイ内の幾つかの、または全ての電気素子が特定の出力を検索してユーザに供給するように予め割当てることができる。更に、幾つかの電気素子は、それらが動作している時に、異なる印刷素子を有する異なるシートがベースユニット上にあることを指示するように予め割当てることができる。例えば、シート上の“行け(Go)”の円の下に位置する電気素子を作動させると、プラットフォーム７００内のエレクトロニクスは、多重ページ印刷媒体のどのページをユーザにディスプレイするかを決定することができる。新しいシートの印刷素子に関連する出力を検索するようにアレイ内の電気素子を再割当てするために、プロセッサは会話形装置を再プログラムすることができる。
【００３８】
好ましい会話形印刷媒体装置の幾つかの構成部品を図２−６に示す。適当な装置の他の特色が2001年２月５日付米国特許出願第09/777,262号に開示されているので参照されたい。図２及び３は、第１及び第２のハウジング部分１、２を有するプラットフォームを、その閉じた形態及び開いた形態で示している。１対の蝶番７が、プラットフォームの第１及び第２の部分１、２を接続している。ばね付きのラッチ８が、閉じている時のハウジング部分１、２を互いに保持する。第１のハウジング部分１及び第２のハウジング部分２はそれぞれ、上側区分９、１０及び下側区分１１、１２を含んでいる。第１、及び第２のハウジング１、２の上側区分９、１０は、ねじ１３によってそれぞれの下側区分１１、１２に固定されている。
【００３９】
第１のハウジング部分１の上側及び下側区分９、１１は、第１の送信アンテナ素子（図示せず）を取り付ける空洞を限定している。第２のハウジング２の上側及び下側区分１０、１２も空洞を限定している。第２のハウジング部分２は、ラウドスピーカー及びプロセッサを収容することができる。
【００４０】
第１のハウジング部分１の上側区分９の上側表面は、矩形の凹み２０を有している。同じような凹み２２が、第２のハウジング部分２の上側区分１０の上側表面上に設けられている。これらの矩形凹み２０、２２は互いに近接しており、両矩形凹みの長い方の側が小さいギャップ２３によって分離されている。矩形凹み２０、２２は一緒になって、例えばスパイラルバインディング（図示せず）を有する本を載せることができる表面になっている。第１の送信アンテナ素子は、これらの矩形凹み２０、２２の直下に配置される。矩形凹み２０、２２のギャップ２３から遠い方の縁に沿って、親指用「溝」２５、２６が設けられている。これらの親指用溝２５、２６を設けることによってユーザは、矩形凹み２０、２２上に載せられている本のページの隅にアクセスすることができる。
【００４１】
親指用溝２５、２６に近接し、これも矩形凹み２０、２２の長い方の側に沿っているのは、１対のスタイラス載せ２７、２８である。これらのスタイラス載せ２７、２８は、検出スタイラス３を受入れるようになっている。第２のハウジング部分２の上側区分１０内のスタイラス載せ２８内に入れられているのは、検出スタイラス３である。検出スタイラス３はワイヤー６によって、第２のハウジング２によって限定されている空洞の部分内に配置されたプロセッサに接続されている。
【００４２】
第２のハウジング２の上側区分１０内に設けられているのはラウドスピーカーグリル３５であり、このラウドスピーカーグリル３５は空洞内に収容されているラウドスピーカーの直上に設けられている。このラウドスピーカーグリル３５は、第２のハウジング２の上側区分１０の隅に、親指用溝２６に隣接して設けられている。
【００４３】
第２のハウジング２の上側区分１０のスタイラス載せ２８に近接する部分に、オン／オフボタン５が存在している。オン／オフボタン５は、第２のハウジング部分２内のプロセッサに接続されており、プロセッサ及びプラットフォームユニット内の第１の送信アンテナを作動させる手段になっている。
【００４４】
第２のハウジング部分２は、ヘッドホンジャック３７、及びカートリッジ３９を受入れるスロット３８を含んでいる。スロット３８内に設けられているのは、カートリッジ３９を受入れるための相手方インタフェース（図３及び４には示してない）である。カートリッジ３９をスロット３８内に挿入することによって、カートリッジ３９は相手方インタフェース内に適合する。第２のハウジング２内のプロセッサは、カートリッジ３９内のデータにアクセスすることができる。
【００４５】
図４（ａ）は、プラットフォームユニットの分解図である。プロセッサ６０は、ラウドスピーカー６１、オン／オフボタン５、及びヘッドホンジャック３７に接続され、またワイヤー６を介して検出スタイラス３に接続されている。プロセッサ６０は更に、カートリッジ３９を受入れるための相手方インタフェース６２と、プロセッサ６０に給電するための１組の電池６３に接続されている。
【００４６】
２つの第１のアンテナ素子６４、６６がケーブル６７を介してプロセッサ６０に接続され、第１の送信アンテナ素子６４、６６が発生する信号のタイミングをプロセッサ６０が制御できるようになっている。第１のアンテナ６４、６６は、矩形凹み２０、２２の直下に設けられている。第１のアンテナ６４、６６は、矩形凹み２０、２２を限定している第１及び第２のハウジング１、２の上側区分９、１０の下側と、ボール紙のシート６８、７０との間に挟まれている。ボール紙のシート６８、７０は、第１及び第２のハウジング部分１、２の下側区分１１、１２の内側表面上の支持具７２、７４上に載っている。
【００４７】
図４（ｂ）を参照する。第１のアンテナ素子６４、６６は各々、絶縁用アセテートシート８３によって分離されている上側アンテナ８０及び下側アンテナ８２からなる。上側アンテナ８０は印刷された導電性インクによって形成されている抵抗性ストリップ８４を含み、このストリップ８４は矩形凹み２０、２２（その下に、第１のアンテナ素子が配置される）によって限定されている領域に対応する矩形の短い側の１つに沿って延びている。抵抗性ストリップ８４に対して直角に、該ストリップ８４から遠去かるように延びているのはこれらも印刷された導電性インクからなる複数の導電性指８５である。これらの導電性指８５は、抵抗性ストリップ８４の長さに沿って互いに等間隔に離間しており、互いに平行に走っている。導電性指８５は、抵抗性ストリップから矩形凹み２０、２２の長い側の広がりに対応する長さだけ延びている。
【００４８】
下側アンテナ８２は、絶縁用アセテートシート８３の反対側に配置されており、第２の抵抗性ストリップ８６を含んでいる。この第２の抵抗性ストリップ８６は、矩形凹み２０、２２（その下に、アンテナが配置される）によって限定されている長い側に沿う領域の周縁に沿って延びている。上側アンテナ８０の配列と同じように、下側アンテナ８２の抵抗性ストリップ８６から直角に遠去かるように延びているのは、抵抗性ストリップ８６の長さに沿って互いに等間隔に離間した複数の導電性指８７である。導電性指８５、８７の数は、所望の分解能に依存して変化させることができる。
【００４９】
第２のハウジング部分２内の第２のアンテナ配列６６の導電性指８５、８７は、第２のハウジング部分２の上側区分１０内の矩形凹み２２によって限定されている領域全体にわたって延びる等間隔の導電性指８５、８７の直交格子を形成し、導電性ストリップ８４、８６はこの領域の周縁を越えて延びている。同様に、第１のハウジング部分１内の第１のアンテナ配列６４の導電性指８５、８７は、第１のハウジング部分１の上側区分１１内の矩形凹み２０の広がりの下を延びる等間隔の導電性指８５、８７の直交格子を限定している。これらの導電性指８５、８７の直交格子は、凹み２０、２２の表面付近内に電磁界を発生させるために使用され、これらの電磁界は検出スタイラス３によって検出することができる。これらは、矩形凹み２０、２２内の二次元の本のどの部分が選択されているのかを、検出スタイラス３を使用して決定するために使用される。
【００５０】
図４（ｃ）は、第１のアンテナ素子６６の詳細平面図である。図４（ｃ）は、第１のアンテナ素子６６の導電性指８５、８７の形状を示している。導電性指８５を上側アンテナ８０の導電性ストリップ８４から遠去かるように延ばす場合、各導電性指８５を全て同一とし、また実質的に矩形のストリップとする。各ストリップは、導電性指８５が下側アンテナ８２の導電性指８７の１つの上を横切る箇所で狭くなっている部分９０を含むようにする。下側アンテナ８２の各導電性指８７は、導電性指８７が上側アンテナ８０の導電性指８５によってカバーされないウィング部分９２を有する矩形ストリップを含むようにする。
【００５１】
上側アンテナ８０の抵抗性ストリップ８４の各端には、第１の電気接点９３及び第２の電気接点９４が設けられている。これらの接点は導電性の配線９５を介してインタフェース９６に接続されており、従ってケーブル６７を介してプロセッサ６０に接続される。同じような第１の電気接点９７及び第２の電気接点９８が、下側アンテナ８２の抵抗性ストリップ８６の各端に設けられている。これらの接点９７、９８も、導電性の配線９９を介してインタフェース９６に接続されており、従ってケーブル６７を介してプロセッサ６０に接続される。上側アンテナ８０及び下側アンテナ８２の場合と同様に、これらの電気接点９３、９４、９７、９８、及び導電性の配線９５、９９もアセテートシート８３の表面上に印刷された導電性インクからなる。
【００５２】
電気接点９３、９４、９７、９８、及び導電性の配線９５、９９は、電気信号を抵抗性ストリップ８４、８６へ印加することを可能にする。抵抗性ストリップ８４、８６に交番信号を印加すると、抵抗性ストリップ８４、８６に接続されている導電性指８５、８７が交番電磁界を生成する。この電磁界は、検出スタイラス３によって検出可能である。抵抗性ストリップ８４、８６は、各導電性指８５、８７から異なる電圧の信号を送信させることが可能な分圧器ストリップを構成することができる。分圧器ストリップに関するさらなる詳細が、2000年５月19日付米国特許第09/574,499号に記載されている。この米国特許出願の分圧器ストリップは、直列接続された複数の抵抗器を含んでいる。これらの抵抗器によって、導電性指８５、８７は異なる電圧の信号を送信することができる。勿論、他の型のアンテナシステムを使用することができる。例えば、容量性分割を使用する他の実施の形態が、2002年８月16日付米国特許第10/222,205号に記載されている。
【００５３】
図５は、第１のアンテナ素子６６が発生した電磁界の検出に使用される検出スタイラス３の概要断面図である。図示した検出スタイラス３は、第２のハウジング２の上側区分１０内の凹み２２の中に位置している本４のページの表面上に載っている。第２のハウジング２の上側区分１０の直下には、第１のアンテナ素子６６の上側アンテナ８０の導電性指８５が位置している。これらの導電性指８５は、上側アンテナ８０を下側アンテナ８２から分離している絶縁用アセテートシート８３上に設けられている。アセテートシート８３の反対側に配置されているのは、下側アンテナ８２の導電性指８７である。下側アンテナ８２の下には、第２のハウジング２の下側区分１２の支持具７４によって支持されているボール紙の保護シート７０が位置している。
【００５４】
検出スタイラス３の先端は、はんだのビーズ１０１を介して銅線１０２に接続されている黄銅製の石突き１００を含む。銅線１０２は、ワイヤー６を介してプロセッサ６０に接続されている。はんだビーズ１０１から離れている方の黄銅製石突き１００の端には、絶縁用座金１０４が設けられている。銅線１０２は、この絶縁用座金１０４の中心を通って延びている。シールディング１０５が、銅線１０２の長さに沿って検出スタイラス３内を絶縁座金１０４まで延びている。
【００５５】
図４（ａ）−４（ｃ）及び５を参照する。交番電気信号は、電気接点９３、９４、９７、９８を介して上側及び下側アンテナ８０、８２の抵抗性ストリップ８４、８６に印加される。これによって、アンテナ８０、８２の近傍に交番電磁界が発生する。この交番電磁界は、検出スタイラス３がアンテナ８０、８２に近接する凹み２２内の本４の表面上に載せられると、検出スタイラス３の黄銅製石突き１００に電圧を誘起させる。この電気信号は、銅線１０２を介してプロセッサ６０へ送られる。絶縁用座金１０４及びシールディング１０５は、黄銅製石突き１００の近傍の電磁界の変動以外によって電気信号が電線１０２内に誘起することを阻止する。
【００５６】
図６は、プロセッサ６０及び第１のアンテナ素子６４、６６の概要ブロック図である。プロセッサ６０は、コントローラユニット１２０、送信機ロジック１２１、及び受信機ユニット１２２を含む。プロセッサ６０は、信号ドライバ及び信号プロセッサを含むことができる。コントローラユニット１２０は、送信機ロジック１２１を介して第１のアンテナ素子６４、６６に接続されている。コントローラユニット１２０は、受信機ユニット１２２及びワイヤー６を介して検出スタイラス３にも接続されている。また送信機ロジック１２１と受信機ユニット１２２とは、互いに直接的に接続されている。コントローラユニット１２０は、ヘッドホンジャック３７、ラウドスピーカー６１、カートリッジの相手方インタフェース６２、及びオン／オフボタン５にも接続されている。
【００５７】
オン／オフボタン５が押圧されると、それはコントローラユニット１２０によって検出され、それによって送信機ロジック１２１が作動し始める。それにより送信機ロジック１２１は、第１のアンテナ素子６４、６６の電気接点９３、９４、９７、９８に電気信号を一連のフレームとして印加する。図４（ｃ）を参照する。各々が約３ミリ秒間持続するこれらのフレーム中に、所定の電気信号が送信アンテナ配列６２、６４の接点９３、９４、９７、９８に印加される。各フレームの終わりに、異なるセットの信号が接点９３、９４、９７、９８に印加される。
【００５８】
あるフレーム中に、第１及び第２のハウジング部分１、２の上側区分９、１０内の矩形凹み２０、２２の近傍に電磁界が発生する。これらの電磁界は、検出スタイラス３の黄銅製石突き１００内に電圧を誘起させる。この信号は、ワイヤー６を介して受信機ユニット１２２に送られる。一例では、接点９３、９４、９７、９８に印加される電圧は、＋３Ｖ乃至−３Ｖの範囲であることができる。黄銅製石突き１００内に誘起される電圧は、約0.5Ｖであることができる。受信機ユニット１２２は誘起した電圧を処理し、処理された信号はコントローラユニット１２０へ送られる。
【００５９】
次いでコントローラユニット１２０は、受信機ユニット１２２から受信した処理済みの信号を、検出スタイラス３が現在位置している本４のページの部分の座標を識別する信号に変換する。これらの座標は、コントローラユニット１２０の一部として設けられている音響メモリ、または代替として、カートリッジインタフェース６２内に挿入されたカートリッジ３９内にメモリチップとして設けられている音響メモリ内に格納されている適切な音響を選択するために使用される。それによって適切な音響が、ラウドスピーカー６１を介して出力されるか、またはヘッドホンジャック３７を介してヘッドホンセットへ出力される。
【００６０】
II．会話方法
会話式印刷媒体装置は、図７に示す方法を遂行することができる。図７を参照する。会話形印刷媒体装置は、規定位置内へ記入するようにユーザを促すことができる（ステップ１０２）。次いで会話形印刷媒体装置は、ユーザが規定位置内へ記入するのを待機することができる（ステップ１０４）。ユーザが規定位置内へ記入すると、ユーザが別の規定位置内へ記入する必要があるか否かの決定がなされる（ステップ１０６）。次いで、装置は、記入が完了したことを指示するユーザからの入力を受信することができる（ステップ１０８）。このステップの後に、会話形印刷媒体装置は、記入したものをユーザが評価する上でユーザを支援する出力を発生する（ステップ１１０）。当業者ならば、これらの機能、または前述した他の機能は何れも、何等かの適当なプログラミング言語を使用してコンピュータコードとして会話形印刷媒体装置内のメモリデバイス内に予めプログラムすることができよう。
【００６１】
以下に、これらの各ステップに関して更に詳しく説明する。
先ず、会話形印刷媒体装置は、規定位置内へ記入するようにユーザを促すことができる（ステップ１０２）。この催促は、オーディオによることも、またはビジュアルによることもできる。ユーザがオーディオ催促を聞きながら印刷媒体上のどの印刷素子をも見ることができるように、催促はオーディオ催促であることが好ましい。本発明の実施の形態においてはビジュアル催促を使用することもできるが、オーディオ催促は、ユーザがある催促を受けて動作を起こすことによってその催促に応答するのに２つの異なる位置を見る必要がないことから、ユーザの気を散らさないで済む。
【００６２】
ユーザが規定位置内へ記入した後に、もしユーザに印刷媒体上にさらなるマーキングを行わせる必要があれば、会話形印刷媒体装置はさらなる催促を発生することができる（ステップ１０６）。次いで、装置は、記入が完了したことを指示するユーザからの入力を受信することができる（ステップ１０８）。例えば、以下に説明する例におけるように、一実施の形態では、印刷媒体はドットの格子を有することができ、会話形印刷媒体装置は格子内で対をなしているドット間に線を引くようにユーザを促すために連続オーディオ催促を供給することができる。例えば、番号１−５とラベル付けされたドットの行及び文字Ａ−Ｇとラベル付けされたドットの列を有するドットの格子内に三角形を描くためには、連続するオーディオ催促は、“Ａ１からＡ３まで線を引いて下さい”、“Ａ３からＣ１まで線を引いて下さい”、及び“Ｃ１からＡ１まで線を引いてください”であり得る。会話形印刷媒体装置はユーザに記入時間を与えるように、これらの連続するオーディオ催促の間に待機をプログラムすることができる。ユーザは、全ての線を引き終えた後に、ユーザが記入を終わったことを指示するために印刷媒体上の“終わった(done)”印刷素子を選択することができる。他の実施の形態においては、あるページ上の１またはそれ以上の空白を埋めさせるために１回の催促をユーザに行うことができる。例えば、２つの２桁数を乗算する場合、１回限りの催促の後に、ユーザは印刷媒体の別のページ上の命令に従って一連のボックスを埋めることができる。次いでユーザは、ユーザが空白の埋めが終了したことを指示するために印刷媒体上の印刷素子を選択することができる。
【００６３】
ユーザが記入を終了しことを指示した後に、会話形印刷媒体装置は、記入したものをユーザが評価する上でユーザを支援する出力を発生する（ステップ１１０）。この出力は、会話形印刷媒体装置によって準備されたある問題に対するユーザの答えを評価する上でユーザを支援することができる。幾つかの実施の形態においては、この出力は、記入したものの解釈を支援するためにユーザに与えられるクイズであることができる。例えば、上述したようにして三角形を描いた後に、そしてユーザが記入を行ったことを指示するように印刷素子を選択した後に、会話形印刷媒体装置はユーザに“貴方が描いた図形は鈍角を有している。これは本当？それとも間違い？”と尋ねることができる。他の実施の形態においては、出力は単にユーザの答えを検証するものであることができる。例えば、ユーザは印刷媒体上で10×10の乗算を行うことができ、２つの数を乗算した後に“終わった！”とラベル付けされた印刷素子を選択することができる。それに応答し、会話形印刷媒体装置は“答えは100”と言うことができる。
【００６４】
本発明の実施の形態は、あるシートが会話形印刷媒体装置のプラットフォーム上にある間に、ユーザがそのシート上に情報を入力することができるので有利である。ユーザは、シート上へ記入することができ、またそのシート及び／または隣接するシート上の印刷素子と電子的に会話することができる。これは、もし印刷媒体が学習帳であれば特に有利である。例示学習帳では、左ページは教育資料を含むことができ、右ページはユーザが記入できる１またはそれ以上の規定位置を含むことができる。即ち、印刷媒体の第１の区分は命令資料を含むことができ、一方第２の区分は規定位置を含むことができる。種々の印刷媒体に関連する種々のスクリプト及び教え方は、2002年２月６日付米国暫定特許出願第60/355,349号に開示されているので参照されたい。以下に、図８−１１を参照して多くの特定例を説明する。
【００６５】
図８を参照する。左ページ２００はどのようにして分数を比較するかについての教え方を提供し、一方右ページ２３０はユーザが記入できる規定位置を有している。この例ではどのようにして倍数をリストし、最小公分母を識別し、そして分数を比較するかをユーザに教える。
【００６６】
左ページ２００は、ユーザがどのように分数を比較することができるかを示すために、段階的なプロセスを提供する。例えば、2／3が4／5より小さいのか、大きいのか、または等しいのかを決定するために４つのステップが使用される。これらの４つのステップは１）各分母の倍数をリストし、次いで最小公分母（ＬＣＤ）を見出すステップと、２）ＬＣＤを分母で除すステップと、３）分子及び分母にステップ２）の答えを乗ずるステップと、４）通分された分数の分子を比較して2／3が4／5より小さいのか、大きいのか、または等しいのかを決定するステップとを含む。左ページ２００は、ユーザを案内するために段階的命令及び例を提供する。ユーザは、スタイラスを使用してこれらのステップ（例えば、“ステップ(step)１”、“ステップ２”、“ステップ３”、または“ステップ４”）に対応する印刷素子を選択し、各ステップがどのように遂行されるかを説明するオーディオを発生させることができる。
【００６７】
右ページ２３０は、ユーザが記入できる複数の規定位置を有している。右ページ２３０は、ユーザが２つの分数を記入するための第１のセットの規定位置２０１、２０３、２０５、２０７と、ユーザが各分母の倍数を入れ、次いでＬＣＤを見出すことができる第２のセットの規定位置２０９と、ユーザがＬＣＤを各分数の分母で除すことができる第３のセットの規定位置２１１と、ユーザが分子及び分母に先行ステップからの答えを乗ずることができる第４のセットの規定位置２１３と、ユーザが先行ステップからの答えを入れることができる第５のセットの規定位置２１５とを有している。第５のセットの規定位置２１５内には、ユーザは、どちらの分数（分数ＡまたはＢ）が大きいかを決定した後に、“＜”、“＞”、または“＝”記号を記入することができる。１組の答え印刷素子２１７が、右ページ２３０の最下部に印刷されている。ユーザは、スタイラスを用いて答え印刷素子２１７（“＜”、“＞”、または“＝”）の１つを選択し、その答えを会話形印刷媒体装置内へ電子的に入力することができる。
【００６８】
図８には、１組の音量制御印刷素子２３２及びページ指示用印刷素子２３４も示されている。会話形印刷媒体装置の音量を制御したり、またはどのページが現在表示されているのかをユーザに、及び電子式位置探知システムに指示するために、これらの印刷素子を選択するのにスタイラスを使用することができる。
【００６９】
支援印刷素子２３０（ａ）−２３０（ｅ）が、第１、第２、第３、第４、及び第５のセットの規定位置の側に印刷されている。これらの支援印刷素子は選択することができ、会話形印刷媒体装置は支援印刷素子の選択に応答してユーザを支援することができる。この例では、各支援印刷素子は“確かめて(check it out)”ボックスの形状である。もしユーザが規定位置を埋める上で悩んでいれば、ユーザはスタイラスを用いて隣接する支援印刷素子を選択し、規定位置を埋めるのを支援するためのヒント、またはさらなる命令を受けることができる。
【００７０】
以下に、図８に示す印刷媒体を使用する方法を説明する。会話形印刷媒体装置によるオーディオ催促の後に、ユーザは規定位置２０１、２０３、２０５、２０７内に数字を入力することができる。催促は、ユーザが右ページ２３０の最下部のゲーム印刷素子２１９の１つを選択した後に発生させることができる。例えば、ユーザは、スタイラス（図示せず）を使用して適切なゲームまたはモード印刷素子を選択することによって“分数の働き(fraction action)”を選択する。会話形印刷媒体装置は、“分数(fraction)Ａ”として7／10を入力し、“分数Ｂ”として2／5を入力するようにユーザを促すことができ、また“ステップ１から４までを遂行し、終わったら‘＜’、‘＞’、または‘＝’にタッチして下さい”を出力することができる。次いで会話形印刷媒体装置は、ユーザが第１、第２、第３、第４、及び第５のセットの規定位置２０９、２１１、２１３、２１５内へ記入するのを待つ。ユーザが種々の規定位置２０９、２１１、２１３、２１５内の全ての印刷素子を埋めた後に、ユーザは、7／10が2／5より小さい、大きい、または等しいことを会話形印刷媒体装置に通報するために、答え印刷素子２１７の１つを選択することができる。
【００７１】
もしユーザがプロセスの何れかのステップにおいて問題に当面すれば、ユーザはユーザを支援するための支援印刷素子２３０（ａ）−２３０（ｅ）を選択することができる。例えば、もしユーザが規定位置２０９内にＬＣＤを見出すための各分母の倍数を識別することで悩んでいれば、ユーザは支援を頼むために、スタイラスを用いて支援印刷素子２３０（ｂ）を選択することができる。会話形印刷媒体装置は、“最小公分母は15です。もし違っていれば、この行の語‘倍数’にタッチして下さい。”のようなユーザを支援する出力を供給することができる。そこでユーザは、スタイラスを用いて“分数A”の下のボックス“倍数(multiple)”を選択する。そのようにすると会話形印刷媒体装置は、“分数A。倍数15をここへ記入して下さい。15に１、２、３等を掛けて下さい。”と言う。ユーザは、筆記具を用いて、“分数A”の下の“倍数”ボックスの下に数15、30、45、及び60を記入する。次いでユーザは、スタイラスを用いて“分数B”の下の“倍数”ボックスを選択する。会話形印刷媒体装置は、“分数B。５の倍数をここへ記入して下さい。５に１、２、３等を掛けて下さい。”と言う。ユーザは、“分数B”の下の“倍数”ボックスの下に数５、10、15、及び20を記入する。ユーザは、自分が記入たものから、最小公分母が“15”であることを見出すことができる。同じようにユーザは、もしユーザが支援を必要とすればスタイラスを用いて支援印刷素子２３０（ｂ）−２３０（ｅ）を選択しながら、ステップ２−４を進めて行く。ユーザは、規定位置２１５内に答えを記入した後に、スタイラスを使用して答え印刷素子２１７“＜”、“＞”、または“＝”の１つを選択することができる。そこで会話形印刷媒体装置は、ユーザが正しいか、または正しくないかを告げる。
【００７２】
会話形印刷媒体装置内の電子式位置探知システムは、筆記具の運動、または筆記具によってなされたマーキングを解釈しない。そうではなく、ユーザの記入を評価するのを支援するために、また学習プロセスを通してユーザを案内するためにオーディオ支援を与える。このようにすると、ユーザは自分自身をスポットチェックすることができる。会話形印刷媒体装置は、記入を解釈する（例えば、文字認識のような）ための複雑なエレクトロニクスを含む必要はない。またユーザは、学習を支援し、倍数のリスティング、最小公分母の識別、及び分数の比較のような概念を強化するためのツールとして記入を使用する。
【００７３】
図９は、本発明の実施の形態による印刷媒体のページの別の例を示している。図９は、２つの２桁数を乗算する２つの方法を示している。先行例と同様に、印刷媒体は命令と、どのようにすれば２つの２桁数を乗算することができるかの例とを有する第１のページ２５８を有している。第２のページ２５９は、ユーザが記入することができ、またどのようにして数を乗算するのかを学習する複数の規定位置２６８、２７０、２７２、２７４，及び２７６を有している。先行例と同様に、ユーザがどのようにして２つの数を乗算するのかを学習するのを支援するために、“確かめて！”印刷素子の形状の複数の支援印刷素子が乗算プロセスの各ステップに設けられている。第２のページ２５９上には、スクラッチパッド印刷素子２５６（ユーザが注釈を記入するための）が示されている。
【００７４】
図９に示す実施の形態は、図８に示した実施の形態とは異なる。図９に示すページには数値キーボード２５８の形状の印刷素子が設けられている。規定位置２７６内に最終の答えを記入した後に、ユーザは、スタイラスを用いて数の適切な組合わせを選択し、次いでスタイラスを用いて“入力(enter)”印刷素子を選択することによってその最終の答え(final answer)を会話形印刷媒体装置内へ入力することができる。代替として、キーボードは文字を含むことができる。従って、本発明の実施の形態においては、ユーザは印刷媒体上に印刷されている数字及び文字の特定の組合わせを選択し、ユーザが終了したことを会話形印刷媒体装置に信号し、またユーザの答えを会話形印刷媒体装置に指示することができる。キーボードに正しい答えが入力されたか否かに依存して、褒め言葉または支援を与えることができる。
【００７５】
図１０は、ユーザが幾何を学習することができる別の実施の形態を示している。ユーザは、例えば、異なる種類の三角形、角度の種類、周縁の長さ(perimeter)をどのように計算するのか、面積(area)をどのように計算するのか、及び異なる型の合同について学習することができる。図１０に示す印刷媒体は、第１のページ３１０及び第２のページ３１２を有している。この実施の形態では、格子３２２を含む規定位置３２２が第２のページ３１２に印刷されている。
【００７６】
説明例として、ユーザは“幾何の技術（geo art）”とラベル付けされている印刷素子３１４を選択することができる。次いで、会話形印刷媒体装置はユーザに、線“Ｂ４−Ｄ５”を引き、線“Ｄ５−Ｃ４”を引き、そして線“Ｃ４−Ｂ４を引く”ように求めることができる。ユーザは、これらの命令に従って三角形３２５を描くことができる。次いで、会話形印刷媒体装置はユーザに、“終わったら付属のスタイラスを使用して‘終わった’にタッチして下さい”と言うことができる。ユーザが“終わった”印刷素子３１６を選択した後に、会話形印刷媒体装置はユーザにクイズを出すことができる。例えば、装置は“貴方が描いた形状は鈍角を有している。これは本当？それとも間違い？”と言うことができる。鈍角は90°より大きい角度を有していることを思い出されたい。ユーザはスタイラスを用いて“真(true)”または“偽(false)”印刷素子３１８、３２０の何れかを選択し、どちらの答えを選択したのかを会話形印刷媒体装置に指示する。
【００７７】
図１０に示すこの実施の形態は、ユーザが記入する規定位置がドット格子内にある点が図８−９に示した実施の形態とは異なる。また、先行実施の形態とは異なり、ユーザは線のようなマーキングを記入する。この例におけるマーキングは、アルファベット文字ではない。
【００７８】
シート上のドット格子の別の使用例では、ユーザに特定のオーディオ命令を与えて家のような特定形状をシート上にドットで描かせることができる。シートは、会話形印刷媒体装置のプラットフォーム上にあることができる。ユーザが家を描いた後に、ユーザは今描いたばかりの家のドアにタッチするために、プラットフォームに結合されているスタイラスを使用することを求めることができる。この実施の形態では、会話形印刷媒体装置内に使用されているメモリデバイスは、図形を描くようにユーザを促すためのコード、描いた図形のフィーチャを選択するようにユーザに要求するためのコード、及び描いた図形のフィーチャをユーザが選択したことに応答してオーディオ出力を供給するためのコードを含むことができる。
【００７９】
以上に説明した特定例は、ユーザが記入したものを評価する上でユーザを支援するオーディオ（または、他の出力）の使用を含んでいる。しかしながら、他の実施の形態においては、ユーザは、ユーザが記入したものを評価するのを支援するオーディオを聞くことなく、単に会話形印刷媒体装置上にある印刷媒体上へ記入することができる。例えば、ユーザが学習ゲームでプレイするのを支援するためのツールとして記入を使用することができる。
【００８０】
図１１は、ゲームを使用して綴り（スペリング）を教えるページを示している。左ページ４０４は、種々の語のファミリーに属する語のリストを有している。これらのファミリーは、ページの最下部の六角形内に名付けられている。オーディオ催促は、各語ファミリーに属するリスト内の語を識別するようにユーザを促す。ユーザはスタイラスを“ tion ”で終わる語に関連している最下部六角形にタッチすることから開始する。オーディオは、左ページ４０４の語のリストから“ tion ”で終わる語を見出すように促す。もしユーザがスタイラスで語“ interjection ”にタッチすれば、オーディオは褒めメッセージを与える。もしユーザが語“ minute ”にタッチすれば、オーディオは、例えば“その語は‘ minute ’です。それは‘ u-t-e ’で終わっています。‘ tion ’で終わる語は見つかりませんか？”のように言うことによってユーザを正す。
【００８１】
右ページ４０５は、ユーザを試験することができる２つの課題を示している。１つは、“綴り密蜂（Spelling Bee）”ゲームである。オーディオは、破線上に語を記入するようにユーザを促す。例えば、オーディオは“語‘ easy ’を書いて下さい”と言うことができる。ユーザがその語を記入するのを待つために休止した後に、オーディオは“貴方が記入した語の最初の文字と同じボックス内の文字にスタイラスでタッチして下さい。”と言うことができる。オーディオは、語の正しさをチェックすることができるように、各文字に順番にタッチするようにユーザに求める。
【００８２】
“狂気のスズメバチ(Mad Hornet)”と呼ぶ第２のゲームでは、ユーザは“ハングマン(Hang Man)”式のゲームをプレイする。スタイラスを使用して適切な印刷素子４１７、４１９を選択することによって、異なる習熟レベルを選択することができる。会話形印刷媒体装置からの合成音声は、“私はある語のことを考えています。”であることができる。ユーザは、ボックス内のある文字にスタイラスをタッチさせることから開始する。もしその文字が語の中にあれば、オーディオは、例えば“文字‘ａ’を第２の空白の中に入れて下さい”のようにユーザを促す。もし文字が語の一部でなければ、ユーザはスズメバチ４１０の絵に脚、または羽、または最終的には針を記入するように命令される。このようにして、ユーザは彼／彼女の面前で語が作られて行くのを見ることになる。ハングマンのゲームと同様に、もしスズメバチ４１０が完成する前にユーザがその語を見つけ出すことができなければ、ユーザはそのゲームで負けになる。
【００８３】
記入可能モードを有する会話形の本、または会話形のゲーム、パズル、または練習帳を支持することができるアクティビティは他に多く存在する。幾つかの例は、クロスワードパズル、地図、幾何学、及びバトルシップのようなゲームを含む。
【００８４】
黒塗りの升目が殆ど無い、または全く無い基本的クロスワードパズル形格子が、印刷媒体のページ上に印刷されている。透明シートが、格子上に重ねられる。オーディオは、新しいゲームを支持するために黒塗り升目を埋めて格子を変更するようにユーザに指令する。格子指定子（例えば、“３A”縦のかぎ、または“６C”横のかぎ）によって指定される所与のワードのためのオーディオかぎがユーザに与えられる。ユーザは、語を埋めることによってかぎに応答する。ある語の最初の文字、または他の文字にタッチすることによって、オーディオヒントが利用できる。下に位置するアートは、特別なかぎ升目である幾つかの升目を示している。記入者がこれらの升目を埋めた後に、ユーザはそれらの文字をパズルの下の１組の空白の行へコピーし、乱雑な語を形成することができる。
【００８５】
印刷媒体は、どのように地図を描くかを教えるためにも使用することができる。垂直及び水平の線、及び適切な指定子（頂部（垂直線）に付した文字）及び側（水平線）に付した数字を有する大きい格子が、印刷媒体内の透明シート上に印刷されている。オーディオは、大陸、国、または州のような地理的なエンティティの境界を限定する１組の点を与える。これらの点は、最北、南、東、または西点を限定することができる。この１組の点は、地理的エンティティの部分的略図を与えることもできる。
【００８６】
次いでユーザは、会話形印刷媒体装置からのオーディオによって、これらの点を使用して特定の国の形状を描くように命令される。ユーザは描きを終了した後に、ユーザが描いたシートをめくり上げ、印刷媒体のページを開いて描こうとしていた地図の絵を出す。ユーザは、透明シートをめくり下げ、シートを上に載せてシート上の地図と目標とした地図とを重ねることによってユーザの描いた地図と目標とした地図とを比較する。ユーザは、描いた地図と目標とした地図とを比較して、描いた地図が目標とした地図にどれ程近いかを見ることができる。
【００８７】
別の実施の形態においては、ゲーム式のバトルシップをプレイすることができる。格子を形成している複数の点を有するゲーム盤を、シート上に印刷することができる。前述したようにシートは、付属のスタイラスを有するプラットフォーム上にあることができる。ユーザがシート上に描く船は、格子上の異なる点に対応する。次いで、ユーザは船を横切ってスタイラスをドラッグすることによって、船の位置を会話形印刷媒体装置内へ入力する。ユーザは、ゲーム盤を対戦者から隠すためにシートを覆う。ユーザの対戦者は、彼または彼女のゲーム盤を彼または彼女自信のプラットフォーム上に準備する。ユーザは、格子内の升目を選択し、それらを対戦者に告げることによって互いに“発砲”することができる。船に命中すると、プレーヤーはプレーヤーのシート上にスポットをマークし、スタイラスで命中点にタッチする。船が完全に“撃沈”されたことを検出すると、会話形印刷媒体装置は愉快な事実及び得点を告げる。戦略的なヒントを与えることもできる。仮想地雷その他の隠された障害物が電子的に選択された時に、音響効果を発生させることができる。
【００８８】
以上の説明は、本発明の幾つかの好ましい実施の形態に関しているが、本発明の基本的な範囲から逸脱することなく本発明の他の及びさらなる実施の形態を考案することが可能である。これらの代替実施の形態は、本発明の範囲内に含まれることを意図している。更に、本発明の範囲から逸脱することなく本発明の１またはそれ以上の実施の形態の複数の特色を、本発明の他の実施の形態の１またはそれ以上の特色と組合わせることができる。
【００８９】
本明細書に記載した全ての公開物及び特許関連文書は、あたかも各個々の公開物または特許関連文書が個々にそのように意味しているかのように、全ての目的に関して同一範囲にわたってそれらの全文を参照している。出願者らは、本明細書に種々引用したことによって何等かの特定の引用を本発明に対する“従来技術”として認めた訳ではない。
【図面の簡単な説明】
【００９０】
【図１】会話形印刷媒体装置の斜視図である。
【図２】閉じた位置にあるプラットフォームの斜視図である。
【図３】開いた位置にあるプラットフォームの斜視図である。
【図４（ａ）】プラットフォームの分解図である。
【図４（ｂ）】２つのアンテナ素子の分解図である。
【図４（ｃ）】アンテナ素子の平面図である。
【図５】プラットフォーム上の本と、その本と相互作用しているスタイラスの断面図である。
【図６】印刷媒体装置の電子構成部品のブロック図である。
【図７】本発明の実施の形態による方法のフローチャートである。
【図８】印刷媒体のページを示す図である。
【図９】印刷媒体のページを示す図である。
【図１０】印刷媒体のページを示す図である。
【図１１】印刷媒体のページを示す図である。
【図１】
2005517214.tif 000003
【図２】
2005517214.tif 000004
【図３】
2005517214.tif 000005
【図４（ａ）】
2005517214.tif 000006
【図４（ｂ）】
2005517214.tif 000007
【図４（ｃ）】
2005517214.tif 000008
【図５】
2005517214.tif 000009
【図６】
2005517214.tif 000010
【図７】
2005517214.tif 000011
【図８】
2005517214.tif 000012
【図９】
2005517214.tif 000013
【図１０】
2005517214.tif 000014
【図１１】
2005517214.tif 000015
【国際調査報告】
2005517214.tif 000016
2005517214.tif 000017